(57)【要約】      （修正有）【課題】客が好きな主菜や副菜を好きな数だけ自由に選んでセットにすることができ、又、温めたいものだけを電子レンジ等で温めることもでき、更には、コンビニ等の販売者側もバリエーションに富んだ弁当を提供することができる組合せ自在弁当箱を提供すること。【解決手段】工場やコンビニ店内等で事前に組合せ容器（５）（６）（７）にご飯などの主菜や惣菜などの副菜などを個別に盛り付けそれぞれに蓋（８）（９）（１０）をし店頭に陳列し、客は好きな組合せ容器を取り、温めたい組合せ容器だけを電子レンジ等で温めて、底箱（１）のくぼみ（２）（３）（４）に組合せ容器（５）（６）（７）をはめ込み、場合によっては底箱用蓋（１１）をして持ち帰ることができる。【選択図】  図１
2006326265.tif 000002
【特許請求の範囲】
【請求項１】
ご飯などの主菜や惣菜などの副菜を個別に盛り付けた組合せ容器を外箱に収納して一体化できる弁当箱。
【請求項２】
組合わせ容器の側面外側に設けたレール状はめ込み式の鍵型凹凸部を利用して、それぞれの組合せ容器を接続して一体化できる弁当箱。
【請求項３】
組合せ容器の側面外側に設けたマジックテープを利用して、それぞれの組合せ容器を接続して一体化できる弁当箱。
【請求項４】
幅と奥行きの長さの比率を１対整数倍にした立方体の組合せ容器を、この長さの比率を利用して組合せることにより、一体化できる弁当箱。
【請求項５】
組合せ容器を連結保持具となる蓋を利用して一体化できる弁当箱。
【請求項６】
本体に固着させたシートが連結保持具となり一体化できる弁当箱。
【発明の詳細な説明】
【発明の詳細な説明】
【技術分野】
【０００１】Ａ．請求項１について
この発明は、ご飯などの主菜や惣菜などの副菜を組合せ容器に個別に盛り付け、外箱に組合せ容器を収納することにより一体化できる弁当箱。
Ｂ．請求項２について
この発明は、ご飯などの主菜や惣菜などの副菜を組合せ容器に個別に盛り付け、この組合せ容器の側面外側に設けたレール状はめ込み式の鍵型凹凸部を利用して、それぞれの組合せ容器を接続して一体化できる弁当箱。
Ｃ．請求項３について
この発明は、ご飯などの主菜や惣菜などの副菜を組合せ容器に個別に盛り付け、この組合せ容器の側面外側に設けたマジックテープを利用して、それぞれの組合せ容器を接続して一体化できる弁当箱。
Ｄ．請求項４について
この発明は、幅と奥行きの長さの比率を１対整数倍にした箱型の組合せ容器にご飯などの主菜や惣菜などの副菜を個別に盛り付け、各組合せ容器の辺の比率を利用して外箱に収納することにより、一体化できる弁当箱。
Ｅ．請求項５について
この発明は、ご飯などの主菜や惣菜などの副菜を蓋が連結保持具となる組合せ容器に個別に盛り付け、この蓋を利用してそれぞれの組合せ容器を連結させて一体化できる弁当箱。
Ｆ．請求項６について
この発明は、ご飯などの主菜や惣菜などの副菜を連結保持具となるシートを固着させた組合せ容器に個別に盛り付け、このシートを利用してそれぞれの組合せ容器を連結させて一体化できる弁当箱。
【背景技術】
【０００２】従来、コンビニなどで売られている持ち帰り弁当は、ハンバーグ弁当やシャケ弁当など最初からご飯と惣菜がセットになっていた。
【発明が解決しようとする課題】
【０００３】従来、コンビニなどで売られている持ち帰り弁当は、ハンバーグ弁当やシャケ弁当など最初からご飯と惣菜がセットになっており、客が好きなご飯や惣菜を選ぶ選択肢が少なかった。又、弁当を温める時は弁当箱丸ごとでしか温められなかったため、例えば冷たいまま食べたい漬物なども一緒に温まってしまった。
尚、一般の家庭用弁当箱に応用してもいい。
【課題を解決するための手段】
【０００４】Ａ．請求項１について
（イ）外箱（１）はプラスチックや発泡スチロールなど適宜材質とし、後述する組合せ容器（５）（６）（７）がちょうど入る大きさのくぼみ（２）（３）（４）を設ける。
（ロ）組合せ容器（５）（６）（７）は電子レンジなどで温めることが可能な材質でできた箱型とし、工場やコンビニ店内などで、それぞれ白米・おこわなどの主菜やハンバーグ・焼魚・サラダなどの副菜を個別に盛り付け、それぞれに蓋（８）（９）（１０）をして、更には、後で容易に開封できる程度に包装し店内に陳列する。
（ハ）客は好きな主菜や副菜の入った組合せ容器を選び、又、温めたいものが入った組合せ容器だけを電子レンジで温めて、外箱（１）にはめ込み、場合によっては外箱用蓋（１１）をして持ち帰る。
Ｂ．請求項２と請求項４について
（イ）組合せ容器（１２）（１３）（１４）は、電子レンジなどで温めることが可能な材質とし、幅と奥行きの比率が１対２の箱型とする。尚、今回の説明は１対２の場合とするが、幅と奥行きの比率は１対２以外でも適宜可能とする。
（ロ）組合せ容器（１２）の後側面外側には、横に適宜高さのレール状はめ込み式鍵型凹部（１２）ａを設け、正対する前側面外側には、同じくレール状で（１２）ａに挿通し固着することが可能なはめ込み式鍵型凸部（１２）ｂを設ける。又、両横の側面外側にも前後側面と同様に、一方にはレール状はめ込み式鍵型凹部（１２）ｃを、正対する他方にはレール状はめ込み式鍵型凸部（１２）ｄを設ける。
（ハ）組合せ容器（１３）（１４）にも組合せ容器（１２）と同じ配置になるように、前・後・両横の側面外側に（１２）と同じ大きさのレール状はめ込み式鍵型凹凸部（１３）ａ・（１３）ｂ・（１３）ｃ・（１３）ｄ、及び、（１４）ａ・（１４）ｂ・（１４）ｃ・（１４）ｄを設ける。
（ニ）組合せ容器（１２）（１３）（１４）には、工場やコンビニ店内などで、それぞれ白米・おこわなどの主菜やハンバーグ・焼魚・サラダなどの副菜を個別に盛り付け、それぞれに蓋（１５）（１６）（１７）をして、更には、後で容易に開封できる程度に包装し店内に陳列する。
（ホ）客は好きな主菜や副菜の入った組合せ容器を選び、又、温めたいものが入った組合せ容器だけを電子レンジで温めて、組合せ容器が２個だけの場合は、辺の長い横の側面を向かい合わせ、一方の側面外側に設けたレール状はめ込み式鍵型凹部（１２）ｃに他方の凸部（１３）ｄを挿通し固着させ、又、組合せ容器が３個の場合は、まずは２個を辺の長い横の側面を向かい合わせ、一方の側面外側に設けたレール状はめ込み式鍵型凹部（１２）ｃに他方の凸部（１３）ｄを挿通し固着させ、こうして一体化した２個の組合せ容器のそれぞれの辺の短い前側面が向いている面のレール状はめ込み式鍵型凸部（１２）ｂと（１３）ｂに残りの組合せ容器（１４）の辺の長い横の側面のレール状はめ込み式鍵型凹部（１４）ｃを挿通し固着させ一体化させて持ち帰る。
Ｃ．請求項３と請求項４について
（イ）組合せ容器（１８）（１９）（２０）は、電子レンジなどで温めることが可能な材質とし、幅と奥行きの比率が１対２の箱型とする。尚、今回の説明は１対２の場合とするが、幅と奥行きの比率は１対２以外でも適宜可能とする。
（ロ）組合せ容器（１８）の後側面外側には、横にマジックテープ雄部（１８）ａを設け、正対する前側面外側には、（１８）ａと同じ高さに同じ長さのマジックテープ雌部（１８）ｂを設ける。又、両横の側面外側にも前後側面と同様に、一方にはマジックテープ雄部（１８）ｃを、正対する他方にはマジックテープ雌部（１８）ｄを設ける。
（ハ）組合せ容器（１９）（２０）にも組合せ容器（１８）と同じ配置になるように、前・後・両横の側面外側に（１８）と同様のマジックテープ雄部と雌部（１９）ａ・（１９）ｂ・（１９）ｃ・（１９）ｄ、及び、（２０）ａ・（２０）ｂ・（２０）ｃ・（２０）ｄを設ける。
（ニ）組合せ容器（１８）（１９）（２０）には、工場やコンビニ店内などで、それぞれ白米・おこわなどの主菜やハンバーグ・焼魚・サラダなどの副菜を個別に盛り付け、それぞれに蓋（２１）（２２）（２３）をして、更には、後で容易に開封できる程度に包装し店内に陳列する。
（ホ）客は好きな主菜や副菜の入った組合せ容器を選び、又、温めたいものが入った組合せ容器だけを電子レンジで温めて、組合せ容器が２個だけの場合は、辺の長い横の側面を向かい合わせ、一方の側面外側に設けたマジックテープ雄部（１８）ｃと他方の雌部（１９）ｄを貼り合わせ固着させ、又、組合せ容器が３個の場合は、まずは２個を辺の長い横の側面を向かい合わせ、一方の側面外側に設けたマジックテープ雄部（１８）ｃと他方の雌部（１９）ｄを貼り合わせ固着させ、こうして一体化した２個の組合せ容器のそれぞれの辺の短い前側面が向いている面のマジックテープ雌部（１８）ｂと（１９）ｂに残りの組合せ容器（２０）の辺の長い横の側面のマジックテープ雄部（２０）ｃを貼り合わせ固着させ一体化させて持ち帰る。
Ｄ．請求項１と請求項４について
（イ）組合せ容器（２５）（２６）（２７）は、電子レンジなどで温めることが可能な材質とし、幅と奥行きの比率が１対２の箱型とする。又、外箱（２４）は、組合せ容器（２５）と（２６）をそれぞれの辺の長い横の側面（２５）ｃと（２６）ｄを向かい合わせて密着させ、更に、組合わせ容器（２７）の辺の長い横の側面（２７）ｃを組合せ容器（２５）と（２６）のそれぞれの辺の短い前側面が向いている面（２５）ｂと（２６）ｂに密着させてできる立方体がちょうど入る大きさと深さとする。
尚、今回の説明は幅と奥行きの比率が１対２の場合とするが、幅と奥行きの比率は１対２以外でも適宜可能とする。
（ロ）それぞれの組合せ容器（２５）（２６）（２７）には工場やコンビニ店内などで、それぞれ白米・おこわなどの主菜やハンバーグ・焼魚・サラダなどの副菜を個別に盛り付け、それぞれに蓋（２８）（２９）（３０）をして、更には、後で容易に開封できる程度に包装し店内に陳列する。
（ハ）客は好きな主菜や副菜の入った組合せ容器を選び、又、温めたいものが入った組合せ容器だけを電子レンジで温める。組合せ容器が３個の場合は、組合せ容器（２５）と（２６）をそれぞれの辺の長い横の側面（２５）ｃと（２６）ｄを向かい合わせて密着させ、更に、組合わせ容器（２７）の辺の長い横の側面（２７）ｃを組合せ容器（２５）と（２６）のそれぞれの辺の短い前側面が向いている面（２５）ｂと（２６）ｂに密着させて外箱（２４）に入れ、外箱の蓋（３１）をして持ち帰る。
Ｅ．請求項５の方法１について
（イ）組合せ容器（３２）は、電子レンジなどで温めることが可能な材質で両横側面が正方形の箱型とし、前側面下端部（３３）まで覆うことができるよう折り返し部（３４）を設けた蓋（３５）を後側面上端縁部（３６）で折り返し可能に固着する。
組合せ容器（３８）も組合せ容器（３２）と同様の構造とする。
（ロ）組合せ容器（３２）には工場やコンビニ店内などで、それぞれ白米・おこわなどの主菜やハンバーグ・焼魚・サラダなどの副菜を個別に盛り付け蓋（３５）をし前側面下端部（３３）で着脱容易なシール（３７）で止める。その他の組合せ容器も同様とする。
（ハ）客は好きな主菜や副菜の入った組合せ容器を選び、又、温めたいものが入った組合せ容器だけを電子レンジで温める。
（ニ）食事をする時は、組合せ容器（３２）の蓋（３５）をシール（３７）を剥がして蓋（３５）の面（３５）ａが組合せ容器（３２）の後側面（３２）ａに密着するまで開け、シール（３７）を組合せ容器の底面（３２）ｂと蓋の面（３５）ｂにまたがるように貼り付け固定する。
（ホ）組合せ容器（３８）も組合せ容器（３２）と同様に蓋（３９）を開けて固定し、組合せ容器（３２）の箱状になった蓋（３５）に組合せ容器（３８）を面（３８）ａと組合せ容器（３２）の後側面（３２）ａとを合わせるようにして収納する。
（ヘ）組合せ容器を更に連結する場合も、組合せ容器（３８）の箱状になった蓋（３９）に収納する要領で行なう。
Ｆ．請求項５の方法２について
（イ）組合せ容器（４０）は、電子レンジなどで温めることが可能な材質の箱型とする。
（ロ）蓋（４１）は折り返し部（４２）を浅目とし、組合せ容器（４０）の後側面（４０）ａ側の折り返し部（４３）のみ組合せ容器（４０）の最下部まで覆う長さとし、更に、中間の深さの所で横に折り返し可能な折り目（４４）を設け、その折り目（４４）より下部（４５）を組合せ容器（４０）の後側面（４０）ａに固着させる。
組合せ容器（４７）も組合せ容器（４０）と同様の構造とする。
（ハ）組合せ容器（４０）には工場やコンビニ店内などで、それぞれ白米・おこわなどの主菜やハンバーグ・焼魚・サラダなどの副菜を個別に盛り付け蓋（４１）をし前側面（４０）ｂで着脱容易なシール（４６）で止める。その他の組合せ容器も同様とする。
（ニ）客は好きな主菜や副菜の入った組合せ容器を選び、又、温めたいものが入った組合せ容器だけを電子レンジで温める。
（ホ）食事をする時は、組合せ容器（４０）の蓋（４１）をシール（４６）を剥がして、折り目（４４）で折り返して、蓋（４１）の面（４１）ａが組合せ容器（４０）の後側面（４０）ａに密着するまで開け、シール（４６）を組合せ容器の底面（４０）ｃと蓋の面（４１）ｂにまたがるように貼り付け固定する。
（ヘ）組合せ容器（４７）も組合せ容器（４０）と同様に蓋（４８）を開けて固定し、組合せ容器（４０）の箱状になった蓋（４１）に組合せ容器（４７）を面（４７）ａと組合せ容器（４０）の後側面（４０）ａとを合わせるようにして収納する。
（ト）組合せ容器を更に連結する場合も、組合せ容器（４７）の箱状になった蓋（４８）に収納する要領で行なう。
Ｇ．請求項４と請求項５について
（イ）組合せ容器（４９）は、電子レンジなどで温めることが可能な材質とし、幅と奥行きの比率が１対２の箱型とする。尚、今回の説明は１対２の場合とするが、幅と奥行きの比率は１対２以外でも適宜可能とする。
（ロ）蓋（５０）の折り返し部（５１）は組合せ容器（４９）の最下部まで覆う深さとし、一方の横側面（５０）ａのみ食事をする時に邪魔にならず、かつ、連結保持具として使用できる程度の枠（５２）を残し開放する。
組合せ容器（５４）も組合せ容器（４９）と同様の構造とする。
（ハ）組合せ容器（４９）には工場やコンビニ店内などで、それぞれ白米・おこわなどの主菜やハンバーグ・焼魚・サラダなどの副菜を個別に盛り付け蓋（５０）をし底面（４９）ａで着脱容易なシール（５３）ａと（５３）ｂで止める。その他の組合せ容器も同様とする。
（ニ）客は好きな主菜や副菜の入った組合せ容器を選び、又、温めたいものが入った組合せ容器だけを電子レンジで温める。
（ホ）食事をする時は、組合せ容器（４９）の蓋（５０）をシール（５３）ａと（５３）ｂを剥がして開け、蓋（５０）の横側面（５０）ａが上を向くようにして、蓋（５０）の開口面（５０）ｂに組合せ容器（４９）を幅の狭い前側面（４９）ａから挿入し、連結する組合せ容器（５４）も同様に挿入する。
（ヘ）更に、組合わせ容器（４９）の後側面（４９）ｂと組合せ容器（５４）の後側面（５４）ｂ側も、組合せ容器（５４）の蓋（５５）に同様に挿入し、組合せ容器（４９）のシール（５３）ａ・（５３）ｂと組合せ容器（５４）のシール（５６）ａ・（５６）ｂを連結した蓋（５０）・（５５）の底面や側面等に貼り固定する。
尚、組合せ容器の奥行きと幅の比率を１対３とすれば組合せ容器３個を同様に連結ができ、倍率を更に増やせば連結させる容器数を増やすことができる。
Ｈ．請求項６について
（イ）組合せ容器（５７）は、電子レンジなどで温めることが可能な材質で両横側面が正方形の箱型とする。
（ロ）組合せ容器（５７）の底部（５７）ａに、組合せ容器（５７）の奥行きと同じ長さの辺の正方形のシート（５８）を底面（５７）ａの四隅が合うように固着させる。
組合せ容器（６１）も組合せ容器（５７）と同様の構造とする。
（ハ）組合せ容器（５７）には工場やコンビニ店内などで、それぞれ白米・おこわなどの主菜やハンバーグ・焼魚・サラダなどの副菜を個別に盛り付け蓋（５９）をし、シート（５８）の余った部分（５８）ａを組合せ容器（５７）の側面に巻き着脱容易なシール（６０）で止める。その他の組合せ容器も同様とする。
（ニ）客は好きな主菜や副菜の入った組合せ容器を選び、又、温めたいものが入った組合せ容器だけを電子レンジで温める。
（ホ）食事をする時は、組合せ容器（５７）のシール（６０）を剥がし、シート（５８）を伸ばし、蓋（５９）を外し、このシート（５８）の上に蓋（６３）を外した組合せ容器（６１）を乗せ、シール（６０）をシート（５８）と組合せ容器（６１）の側面にまたがるように貼り固定する。
（ヘ）組合せ容器を更に連結する場合も、組合せ容器（６１）のシート（６２）を利用して同様の要領で行なう。
【発明を実施するための最良の形態】
【０００５】以下、本発明の実施の形態について説明する。
尚、下記説明は組合せ容器２〜３個をセットするケースの説明とし、実際はそれより少なくても多くてもよい。
Ａ．請求項１について
（イ）外箱（１）はプラスチックや発泡スチロールなど適宜材質とし、後述する組合せ容器（５）（６）（７）がちょうど入る大きさのくぼみ（２）（３）（４）を設ける。
（ロ）組合せ容器（５）（６）（７）は電子レンジなどで温めることが可能な材質でできた箱型とし、工場やコンビニ店内などで、それぞれ白米・おこわなどの主菜やハンバーグ・焼魚・サラダなどの副菜を個別に盛り付け、それぞれに蓋（８）（９）（１０）をして、更には、後で容易に開封できる程度に包装し店内に陳列する。
（ハ）客は好きな主菜や副菜の入った組合せ容器を選び、又、温めたいものが入った組合せ容器だけを電子レンジで温めて、外箱（１）にはめ込み、場合によっては外箱用蓋（１１）をして持ち帰る。
Ｂ．請求項２と請求項４について
（イ）組合せ容器（１２）（１３）（１４）は、電子レンジなどで温めることが可能な材質とし、幅と奥行きの比率が１対２の箱型とする。尚、今回の説明は１対２の場合とするが、幅と奥行きの比率は１対２以外でも適宜可能とする。
（ロ）組合せ容器（１２）の後側面外側には、横に適宜高さのレール状はめ込み式鍵型凹部（１２）ａを設け、正対する前側面外側には、同じくレール状で（１２）ａに挿通し固着することが可能なはめ込み式鍵型凸部（１２）ｂを設ける。又、両横の側面外側にも前後側面と同様に、一方にはレール状はめ込み式鍵型凹部（１２）ｃを、正対する他方にはレール状はめ込み式鍵型凸部（１２）ｄを設ける。
（ハ）組合せ容器（１３）（１４）にも組合せ容器（１２）と同じ配置になるように、前・後・両横の側面外側に（１２）と同じ大きさのレール状はめ込み式鍵型凹凸部（１３）ａ・（１３）ｂ・（１３）ｃ・（１３）ｄ、及び、（１４）ａ・（１４）ｂ・（１４）ｃ・（１４）ｄを設ける。
（ニ）組合せ容器（１２）（１３）（１４）には、工場やコンビニ店内などで、それぞれ白米・おこわなどの主菜やハンバーグ・焼魚・サラダなどの副菜を個別に盛り付け、それぞれに蓋（１５）（１６）（１７）をして、更には、後で容易に開封できる程度に包装し店内に陳列する。
（ホ）客は好きな主菜や副菜の入った組合せ容器を選び、又、温めたいものが入った組合せ容器だけを電子レンジで温めて、組合せ容器が２個だけの場合は、辺の長い横の側面を向かい合わせ、一方の側面外側に設けたレール状はめ込み式鍵型凹部（１２）ｃに他方の凸部（１３）ｄを挿通し固着させ、又、組合せ容器が３個の場合は、まずは２個を辺の長い横の側面を向かい合わせ、一方の側面外側に設けたレール状はめ込み式鍵型凹部（１２）ｃに他方の凸部（１３）ｄを挿通し固着させ、こうして一体化した２個の組合せ容器のそれぞれの辺の短い前側面が向いている面のレール状はめ込み式鍵型凸部（１２）ｂと（１３）ｂに残りの組合せ容器（１４）の辺の長い横の側面のレール状はめ込み式鍵型凹部（１４）ｃを挿通し固着させ一体化させて持ち帰る。
Ｃ．請求項３と請求項４について
（イ）組合せ容器（１８）（１９）（２０）は、電子レンジなどで温めることが可能な材質とし、幅と奥行きの比率が１対２の箱型とする。尚、今回の説明は１対２の場合とするが、幅と奥行きの比率は１対２以外でも適宜可能とする。
（ロ）組合せ容器（１８）の後側面外側には、横にマジックテープ雄部（１８）ａを設け、正対する前側面外側には、（１８）ａと同じ高さに同じ長さのマジックテープ雌部（１８）ｂを設ける。又、両横の側面外側にも前後側面と同様に、一方にはマジックテープ雄部（１８）ｃを、正対する他方にはマジックテープ雌部（１８）ｄを設ける。
（ハ）組合せ容器（１９）（２０）にも組合せ容器（１８）と同じ配置になるように、前・後・両横の側面外側に（１８）と同様のマジックテープ雄部と雌部（１９）ａ・（１９）ｂ・（１９）ｃ・（１９）ｄ、及び、（２０）ａ・（２０）ｂ・（２０）ｃ・（２０）ｄを設ける。
（ニ）組合せ容器（１８）（１９）（２０）には、工場やコンビニ店内などで、それぞれ白米・おこわなどの主菜やハンバーグ・焼魚・サラダなどの副菜を個別に盛り付け、それぞれに蓋（２１）（２２）（２３）をして、更には、後で容易に開封できる程度に包装し店内に陳列する。
（ホ）客は好きな主菜や副菜の入った組合せ容器を選び、又、温めたいものが入った組合せ容器だけを電子レンジで温めて、組合せ容器が２個だけの場合は、辺の長い横の側面を向かい合わせ、一方の側面外側に設けたマジックテープ雄部（１８）ｃと他方の雌部（１９）ｄを貼り合わせ固着させ、又、組合せ容器が３個の場合は、まずは２個を辺の長い横の側面を向かい合わせ、一方の側面外側に設けたマジックテープ雄部（１８）ｃと他方の雌部（１９）ｄを貼り合わせ固着させ、こうして一体化した２個の組合せ容器のそれぞれの辺の短い前側面が向いている面のマジックテープ雌部（１８）ｂと（１９）に残りの組合せ容器（２０）の辺の長い横の側面のマジックテープ雄部（２０）ｃを貼り合わせ固着させ一体化させて持ち帰る。
Ｄ．請求項１と請求項４について
（イ）組合せ容器（２５）（２６）（２７）は、電子レンジなどで温めることが可能な材質とし、幅と奥行きの比率が１対２の箱型とする。又、外箱（２４）は、組合せ容器（２５）と（２６）をそれぞれの辺の長い横の側面（２５）ｃと（２６）ｄを向かい合わせて密着させ、更に、組合わせ容器（２７）の辺の長い横の側面（２７）ｃを組合せ容器（２５）と（２６）のそれぞれの辺の短い前側面が向いている面（２５）ｂと（２６）ｂに密着させてできる立方体がちょうど入る大きさと深さとする。
尚、今回の説明は幅と奥行きの比率が１対２の場合とするが、幅と奥行きの比率は１対２以外でも適宜可能とする。
（ロ）それぞれの組合せ容器（２５）（２６）（２７）には工場やコンビニ店内などで、それぞれ白米・おこわなどの主菜やハンバーグ・焼魚・サラダなどの副菜を個別に盛り付け、それぞれに蓋（２８）（２９）（３０）をして、更には、後で容易に開封できる程度に包装し店内に陳列する。
（ハ）客は好きな主菜や副菜の入った組合せ容器を選び、又、温めたいものが入った組合せ容器だけを電子レンジで温める。組合せ容器が３個の場合は、組合せ容器（２５）と（２６）をそれぞれの辺の長い横の側面（２５）ｃと（２６）ｄを向かい合わせて密着させ、更に、組合わせ容器（２７）の辺の長い横の側面（２７）ｃを組合せ容器（２５）と（２６）のそれぞれの辺の短い前側面が向いている面（２５）ｂと（２６）ｂに密着させて外箱（２４）に入れ、外箱の蓋（３１）をして持ち帰る。
Ｅ．請求項５の方法１について
（イ）組合せ容器（３２）は、電子レンジなどで温めることが可能な材質で両横側面が正方形の箱型とし、前側面下端部（３３）まで覆うことができるよう折り返し部（３４）を設けた蓋（３５）を後側面上端縁部（３６）で折り返し可能に固着する。
組合せ容器（３８）も組合せ容器（３２）と同様の構造とする。
（ロ）組合せ容器（３２）には工場やコンビニ店内などで、それぞれ白米・おこわなどの主菜やハンバーグ・焼魚・サラダなどの副菜を個別に盛り付け蓋（３５）をし前側面下端部（３３）で着脱容易なシール（３７）で止める。その他の組合せ容器も同様とする。
（ハ）客は好きな主菜や副菜の入った組合せ容器を選び、又、温めたいものが入った組合せ容器だけを電子レンジで温める。
（ニ）食事をする時は、組合せ容器（３２）の蓋（３５）をシール（３７）を剥がして蓋（３５）の面（３５）ａが組合せ容器（３２）の後側面（３２）ａに密着するまで開け、シール（３７）を組合せ容器の底面（３２）ｂと蓋の面（３５）ｂにまたがるように貼り付け固定する。
（ホ）組合せ容器（３８）も組合せ容器（３２）と同様に蓋（３９）を開けて固定し、組合せ容器（３２）の箱状になった蓋（３５）に組合せ容器（３８）を面（３８）ａと組合せ容器（３２）の後側面（３２）ａとを合わせるようにして収納する。
（ヘ）組合せ容器を更に連結する場合も、組合せ容器（３８）の箱状になった蓋（３９）に収納する要領で行なう。
Ｆ．請求項５の方法２について
（イ）組合せ容器（４０）は、電子レンジなどで温めることが可能な材質の箱型とする。
（ロ）蓋（４１）は折り返し部（４２）を浅目とし、組合せ容器（４０）の後側面（４０）ａ側の折り返し部（４３）のみ組合せ容器（４０）の最下部まで覆う長さとし、更に、中間の深さの所で横に折り返し可能な折り目（４４）を設け、その折り目（４４）より下部（４５）を組合せ容器（４０）の後側面（４０）ａに固着させる。
組合せ容器（４７）も組合せ容器（４０）と同様の構造とする。
（ハ）組合せ容器（４０）には工場やコンビニ店内などで、それぞれ白米・おこわなどの主菜やハンバーグ・焼魚・サラダなどの副菜を個別に盛り付け蓋（４１）をし前側面（４０）ｂで着脱容易なシール（４６）で止める。その他の組合せ容器も同様とする。
（ニ）客は好きな主菜や副菜の入った組合せ容器を選び、又、温めたいものが入った組合せ容器だけを電子レンジで温める。
（ホ）食事をする時は、組合せ容器（４０）の蓋（４１）をシール（４６）を剥がして、折り目（４４）で折り返して、蓋（４１）の面（４１）ａが組合せ容器（４０）の後側面（４０）ａに密着するまで開け、シール（４６）を組合せ容器の底面（４０）ｃと蓋の面（４１）ｂにまたがるように貼り付け固定する。
（ヘ）組合せ容器（４７）も組合せ容器（４０）と同様に蓋（４８）を開けて固定し、組合せ容器（４０）の箱状になった蓋（４１）に組合せ容器（４７）を面（４７）ａと組合せ容器（４０）の後側面（４０）ａとを合わせるようにして収納する。
（ト）組合せ容器を更に連結する場合も、組合せ容器（４７）の箱状になった蓋（４８）に収納する要領で行なう。
Ｇ．請求項４と請求項５について
（イ）組合せ容器（４９）は、電子レンジなどで温めることが可能な材質とし、幅と奥行きの比率が１対２の箱型とする。尚、今回の説明は１対２の場合とするが、幅と奥行きの比率は１対２以外でも適宜可能とする。
（ロ）蓋（５０）の折り返し部（５１）は組合せ容器（４９）の最下部まで覆う深さとし、一方の横側面（５０）ａのみ食事をする時に邪魔にならず、かつ、連結保持具として使用できる程度の枠（５２）を残し開放する。
組合せ容器（５４）も組合せ容器（４９）と同様の構造とする。
（ハ）組合せ容器（４９）には工場やコンビニ店内などで、それぞれ白米・おこわなどの主菜やハンバーグ・焼魚・サラダなどの副菜を個別に盛り付け蓋（５０）をし底面（４９）ａで着脱容易なシール（５３）ａと（５３）ｂで止める。その他の組合せ容器も同様とする。
（ニ）客は好きな主菜や副菜の入った組合せ容器を選び、又、温めたいものが入った組合せ容器だけを電子レンジで温める。
（ホ）食事をする時は、組合せ容器（４９）の蓋（５０）をシール（５３）ａと（５３）ｂを剥がして開け、蓋（５０）の横側面（５０）ａが上を向くようにして、蓋（５０）の開口面（５０）ｂに組合せ容器（４９）を幅の狭い前側面（４９）ａから挿入し、連結する組合せ容器（５４）も同様に挿入する。
（ヘ）更に、組合わせ容器（４９）の後側面（４９）ｂと組合せ容器（５４）の後側面（５４）ｂ側も、組合せ容器（５４）の蓋（５５）に同様に挿入し、組合せ容器（４９）のシール（５３）ａ・（５３）ｂと組合せ容器（５４）のシール（５６）ａ・（５６）ｂを連結した蓋（５０）・（５５）の底面や側面等に貼り固定する。
尚、組合せ容器の奥行きと幅の比率を１対３とすれば組合せ容器３個を同様に連結ができ、倍率を更に増やせば連結させる容器数を増やすことができる。
Ｈ．請求項６について
（イ）組合せ容器（５７）は、電子レンジなどで温めることが可能な材質で両横側面が正方形の箱型とする。
（ロ）組合せ容器（５７）の底部（５７）ａに、組合せ容器（５７）の奥行きと同じ長さの辺の正方形のシート（５８）を底面（５７）ａの四隅が合うように固着させる。
組合せ容器（６１）も組合せ容器（５７）と同様の構造とする。
（ハ）組合せ容器（５７）には工場やコンビニ店内などで、それぞれ白米・おこわなどの主菜やハンバーグ・焼魚・サラダなどの副菜を個別に盛り付け蓋（５９）をし、シート（５８）の余った部分（５８）ａを組合せ容器（５７）の側面に巻き着脱容易なシール（６０）で止める。その他の組合せ容器も同様とする。
（ニ）客は好きな主菜や副菜の入った組合せ容器を選び、又、温めたいものが入った組合せ容器だけを電子レンジで温める。
（ホ）食事をする時は、組合せ容器（５７）のシール（６０）を剥がし、シート（５８）を伸ばし、蓋（５９）を外し、このシート（５８）の上に蓋（６３）を外した組合せ容器（６１）を乗せ、シール（６０）をシート（５８）と組合せ容器（６１）の側面にまたがるように貼り固定する。
（ヘ）組合せ容器を更に連結する場合も、組合せ容器（６１）のシート（６２）を利用して同様の要領で行なう。
【発明の効果】
【０００６】  本発明により、客は好きな主菜や副菜を自由に選んでセットすることができ、又、温めたいものだけを電子レンジ等で温めることもでき、更には、コンビニ等の販売者側もバリエーションに富んだ弁当を提供することができる。
【図面の簡単な説明】
【図１】請求項１のタイプの弁当箱を構成する外箱（１）と組合せ容器（５）（６）（７）等の斜視図である。
【図２】請求項２と請求項４を満たすタイプの組合せ容器（１２）の斜視図である。
【図３】請求項２と請求項４を満たすタイプの組合せ容器（１２）の平面図である。
【図４】請求項２と請求項４を満たすタイプの組合せ容器（１２）と（１３）を連結する時の斜視図である。
【図５】請求項２と請求項４を満たすタイプの組合せ容器（１２）と（１３）を連結した時の側面図である。
【図６】請求項２と請求項４を満たすタイプの組合せ容器（１２）と（１３）と（１４）を連結する時の斜視図である。
【図７】請求項３と請求項４を満たすタイプの組合せ容器（１８）の斜視図である。
【図８】請求項３と請求項４を満たすタイプの組合せ容器（１８）の平面図である。
【図９】請求項３と請求項４を満たすタイプの組合せ容器（１８）と（１９）を連結した時の斜視図である。
【図１０】請求項１と請求項４を満たすタイプの弁当箱を構成する外箱（２４）と組合せ容器（２５）（２６）（２７）等の斜視図である。
【図１１】請求項５の方法１のタイプの組合せ容器（３２）の斜視図である。
【図１２】請求項５の方法１のタイプの組合せ容器（３２）の蓋を開けた時の斜視図である。
【図１３】請求項５の方法１のタイプの組合せ容器（３２）と組合わせ容器（３８）を連結した時の側面断面図である。
【図１４】請求項５の方法２のタイプの組合せ容器（４０）の斜視図である。
【図１５】請求項５の方法２のタイプの組合せ容器（４０）の蓋を開けた時の斜視図である。
【図１６】請求項５の方法２のタイプの組合せ容器（４０）と組合わせ容器（４７）を連結した時の側面図である。
【図１７】請求項４と請求項５を満たすタイプの組合せ容器（４９）の斜視図である。
【図１８】請求項４と請求項５を満たすタイプの組合せ容器（４９）を側面から蓋（５０）に挿入する時の斜視透視図である。
【図１９】請求項４と請求項５を満たすタイプの組合せ容器（４９）と組合わせ容器（５４）を連結した時の斜視図である。
【図２０】請求項６のタイプの組合せ容器（５７）の斜視図である。
【図２１】請求項６のタイプの組合せ容器（５７）のシート（５８）を広げた時の斜視図である。
【図２２】請求項６のタイプの組合せ容器（５７）と（６１）を連結した時の側面図である。
【符号の説明】
１外箱
２くぼみ
３くぼみ
４くぼみ
５組合せ容器
６組合せ容器
７組合せ容器
８蓋
９蓋
１０蓋
１１外箱用蓋
１２組合せ容器
１２ａレール状はめ込み式鍵型凹部
１２ｂレール状はめ込み式鍵型凸部
１２ｃレール状はめ込み式鍵型凹部
１２ｄレール状はめ込み式鍵型凸部
１３組合せ容器
１３ａレール状はめ込み式鍵型凹部
１３ｂレール状はめ込み式鍵型凸部
１３ｃレール状はめ込み式鍵型凹部
１３ｄレール状はめ込み式鍵型凸部
１４組合せ容器
１４ａレール状はめ込み式鍵型凹部
１４ｂレール状はめ込み式鍵型凸部
１４ｃレール状はめ込み式鍵型凹部
１４ｄレール状はめ込み式鍵型凸部
１５蓋
１６蓋
１７蓋
１８組合せ容器
１８ａマジックテープ雄部
１８ｂマジックテープ雌部
１８ｃマジックテープ雄部
１８ｄマジックテープ雌部
１９組合せ容器
１９ａマジックテープ雄部
１９ｂマジックテープ雌部
１９ｃマジックテープ雄部
１９ｄマジックテープ雌部
２０組合せ容器
２０ａマジックテープ雄部
２０ｂマジックテープ雌部
２０ｃマジックテープ雄部
２０ｄマジックテープ雌部
２１蓋
２２蓋
２３蓋
２４外箱
２４ａ蓋
２５組合せ容器
２５ａ側面
２５ｂ側面
２５ｃ側面
２５ｄ側面
２６組合せ容器
２６ａ側面
２６ｂ側面
２６ｃ側面
２６ｄ側面
２７組合せ容器
２７ａ側面
２７ｂ側面
２７ｃ側面
２７ｄ側面
２８蓋
２９蓋
３０蓋
３１蓋
３２組合せ容器
３２ａ後側面
３２ｂ底面
３３前側面下端部
３４折り返し部
３５蓋
３５ａ面
３５ｂ面
３６後側面上端縁部
３７シール
３８組合せ容器
３８ａ面
３９蓋
４０組合せ容器
４０ａ後側面
４０ｂ前側面
４０ｃ底面
４１蓋
４１ａ面
４１ｂ面
４２折り返し部
４３折り返し部
４４折り目
４５下部
４６シール
４７組合せ容器
４７ａ面
４８蓋
４９組合せ容器
４９ａ前側面
４９ｂ後側面
５０蓋
５０ａ横側面
５０ｂ開口部
５１折り返し部
５２枠
５３ａシール
５３ｂシール
５４組合せ容器
５４ａ前側面
５４ｂ後側面
５５蓋
５６ａシール
５６ｂシール
５７組合せ容器
５７ａ底部
５８シート
５８ａシートの余った部分
５９蓋
６０シール
６１組合せ容器
６２シート
【図１】
2006326265.tif 000003
【図２】
2006326265.tif 000004
【図３】
2006326265.tif 000005
【図４】
2006326265.tif 000006
【図５】
2006326265.tif 000007
【図６】
2006326265.tif 000008
【図７】
2006326265.tif 000009
【図８】
2006326265.tif 000010
【図９】
2006326265.tif 000011
【図１０】
2006326265.tif 000012
【図１１】
2006326265.tif 000013
【図１２】
2006326265.tif 000014
【図１３】
2006326265.tif 000015
【図１４】
2006326265.tif 000016
【図１５】
2006326265.tif 000017
【図１６】
2006326265.tif 000018
【図１７】
2006326265.tif 000019
【図１８】
2006326265.tif 000020
【図１９】
2006326265.tif 000021
【図２０】
2006326265.tif 000022
【図２１】
2006326265.tif 000023
【図２２】
2006326265.tif 000024